(57)【要約】【課題】    簾/蓆で製作した収納装置の提供。【解決手段】    簾/蓆で製作した収納装置は収納箱と底板とからなる。収納箱は複数の側壁と底面を有し、側壁は複数の竹材により簾に編製するか、或いは、円形の竹棒により蓆に編製し、各側壁の上辺と側辺は第一補強片を設置すると共に、被覆材により第一補強片と側壁の上辺、及び、側壁を被覆し、その後、縫製により、各側壁の側辺被覆材を縫製連接して、湾接する方形の収納箱を構成する。底面は軟質材料からなり、各側壁下辺の被覆材に縫合する。簾、或いは、蓆の内側面は必要に応じて第二補強片を設置する。収納箱は、扁平状に折り畳み収蔵できる。底板は複数の竹材から簾を編製するか、或いは、竹棒により蓆に編製し、簾、或いは、蓆の各辺は軟質の被覆材を設置し、これにより、被覆材が簾の各辺を被覆し、底板は収納箱の底面に入れて、収納箱の直立を補助する。【選択図】    図１Ａ
0003140493.tif 000002
【実用新案登録請求の範囲】
【請求項１】
簾/蓆で製作した収納装置であって、収納箱と底板とからなり、
前記収納箱は、複数の独立した側壁を有し、前記側壁は複数の竹片で編製した簾で、前記簾の上辺内側面は第一補強片を設置し、且つ、簾の各辺と前記第一補強片は、軟質の被覆材により被覆されて、前記簾に固定されて、前記側壁を構成し、相隣する両側壁の垂直辺の被覆材は相互に縫合されて、両側壁の間は、前記被覆材を素子として相対湾接し、前記各側辺の下辺は、軟性の底面を共同で縫製し、
前記底板は、複数の竹片を簾に編製し、前記簾の各辺は軟質の被覆材を被覆することを特徴とする簾/蓆で製作した収納装置。
【請求項２】
前記簾の内側面は複数の直立、或いは、水平に設置された第二補強片を設置することを特徴とする請求項１に記載の簾/蓆で製作した収納装置。
【請求項３】
前記簾の内側面は複数の直立、或いは、水平の布スリーブを設置し、前記第二補強片は前記布スリーブ内に挿入されることを特徴とする請求項２に記載の簾/蓆で製作した収納装置。
【請求項４】
竹棒により前記竹片を代替し、前記竹棒は孔を有し、線により前記孔を穿過して、複数の竹棒が蓆を編製することを特徴とする請求項１に記載の簾/蓆で製作した収納装置。
【考案の詳細な説明】
【技術分野】
【０００１】
本考案は、物品を収納する収納箱に関し、特に、天然素材を利用し、自然界中で自然分解し、エコロジーを考慮している以外に、素朴な視覚を与える簾/蓆で製作した収納装置に関する。
【背景技術】
【０００２】
居住空間には限りがあるので、衣類や小物を保管、収納する容器である収納箱が活用されている。ある収納箱は固定式で、ある収納箱は扁平状に折りたたみ、収蔵できる。しかし、固定式でも折りたたみ式でも、公知のものは、プラスチック、布、金属等の材料で製造し、材料は廃棄後、自然界で分解できず、環境を汚染するほか、外観も特別な印象がない。
【考案の開示】
【考案が解決しようとする課題】
【０００３】
本考案の目的は、公知の収納箱が、廃棄後、自然界で分解できず、環境を汚染すること、及び、美観でないことを改善する簾/蓆で製作した収納装置を提供することにある。
【課題を解決するための手段】
【０００４】
本考案の収納装置は、天然の竹材を素材とし、竹を扁平状の竹片、或いは、棒状に加工し、扁平状の竹片を簾、或いは、棒状の竹棒を竹の蓆にし、簾/蓆の辺縁は必要に応じて、補強片を設置し、線材により各片と補強片を被覆して、縫製し、簾/蓆を側壁と底板として、複数の側壁の下辺により共同で底面を縫合し、収納箱を構成する。収納箱は、折り畳み不可の固定式でも、折りたたみ式にすることもできる。収納箱の折り畳みの設計に適合させるため、収納箱の底面は軟質の材料で製造するので、収納箱は直立後、底板を収納箱内に入れて底部とし、収納箱の支承を補助する。
【考案の効果】
【０００５】
本考案により、公知の収納箱が、廃棄後、自然界で分解できず、環境を汚染すること、及び、外観が特別な印象でないことを改善する。
【考案を実施するための最良の形態】
【０００６】
図１Aと図１Bは本考案の収納装置を示す図で、収納箱１と底板２からなる。収納箱１は、連接された複数の側壁と、複数の側壁下辺に連接する底面１３を有する。図１Aと図１Bの実施例において、側壁は複数の竹片１１を採用し、編織線１１１により編製された簾は、上辺内側面に第一補強片１４を設置し（図３B）、且つ、簾の各辺は軟質の線材１２により被覆して縫製される。上辺に位置する被覆材１２は、同時に、第一補強片１４を被覆し、側壁を構成する。両側壁の間は、垂直辺の間は、縫製により、側壁の垂直辺の被覆材１２を縫い合わせ、両側壁の垂直辺の間が、被覆材１２を連接素子として相対湾接する。底面１３は、軟性の材料、例えば、ナイロン、帆布、ビニール布などである。底面１３は縫製により、各側壁下辺の被覆材１２に縫合して、収納箱の底部を構成する。第一補強片１４が、収納箱各側壁上辺の長さに対応する場合、収納箱は折り畳めない固定式になる。相対する両側壁の第一補強片１４が、中央で二段に分かれる場合、両側壁は湾接できる（図２Aと図２Bで示される）。
【０００７】
底板２の実施例において、複数の扁平状の竹片２１と編織線２１１により編製した簾の各辺は被覆材２２により被覆して縫製される。これにより、収納箱１の各側壁が直立状に展開する時、底板２を収納箱１内に入れて、底面１３に放置し、底板２各辺は収納箱各側壁の内側面に抵接し、収納箱の支承を補助する。
【０００８】
側壁となる簾は、多種の編製方式があり、例えば、図３Aと図３Bで示されるように、複数の竹片１１は直立方式で並列設置され、上端は第一補強片１４を設置した後、被覆材１２により、竹片１１の上端、及び、第一補強片１４を被覆し、縫い線１５により被覆材１２を竹片１１に縫製して固定する。
【０００９】
図４Aと図４Bは、本考案の簾の第二種の編製方式を示す図で、図３Aと図３Bの構造に基づくと、簾の内側面に複数の直立した第二補強片１４Aを更に縫合して、簾の強度を強化している。第二補強片１４Aは水平状態で、簾の内側面に設置される（図示しない）。折り畳みが必要な側壁において、第二補強片は折りたたむ位置で二段に分ける必要がある。
【００１０】
図５Aと図５Bは、本考案の簾の第三種の編製方式を示す図で、図４Aと図４Bの構造に基づくと、簾の内側面に、まず、複数の直立の中空布スリーブ１６を縫合し、その後、挿置方式で、第二補強片１４Aを布スリーブ１６内に挿入する。布スリーブ１６は水平状態で簾の内側面に固定して、第二補強片１４Aを水平な布スリーブ内に挿入することもできる（図示しない）。折り畳みが必要な側壁において、第二補強片は折りたたむ位置で二段に分ける必要がある。
【００１１】
図６Aと図６Bは、本考案の簾の第四種の編製方式を示す図で、複数の竹片１１を水平で並列に設置し、上端は第一補強片１４を設置した後、被覆材１２により各竹片１１の上端と第一補強片１４を被覆し、縫い線により被覆材１２を竹片１１に固定する。
【００１２】
図７Aと図７Bは、本考案の簾の第五種の編製方式を示す図で、図６Aと図６Bの構造に基づくと、簾の内側面に、複数の直立の第二補強片１４Aを縫合して簾の強度を強化している。第二補強片１４Aは、水平状態で簾の内側面に設置してもよい（図示しない）。折り畳みが必要な側壁において、第二補強片は折りたたむ位置で二段に分ける必要がある。
【００１３】
図８Aと図８Bは、本考案の簾の第六種の編製方式を示す図で、図７Aと図７Bの構造に基づくと、簾の内側面に、複数の直立の中空布スリーブ１６を縫合し、更に、挿置方式で、第二補強片１４Aを布スリーブ１６内に挿入する。布スリーブ１６は水平状態で簾の内側面に固定されて、竹片を水平な布スリーブ内に挿入する（図示しない）。折り畳みが必要な側壁において、布スリーブと第二補強片は折りたたむ位置で二段に分ける必要がある。
【００１４】
図９Aと図９Bは、本考案の収納箱側が蓆を採用し、蓆の編製方式は、複数の竹棒１７を直立に並列させ、更に、線１７Aにより、各竹材１７が設けた孔を穿過して、竹棒を連結固定する。竹棒１７は水平方式で並列設置し、直列連結することも出来る（図示しない）。
【図面の簡単な説明】
【００１５】
【図１Ａ】本考案の収納装置の外観構造の立体図である。
【図１Ｂ】本考案の収納箱の主要素子の組み合わせ関係を示す立体図である。
【図２Ａ】本考案の収納装置が完全に直立した状態を示す平面図である。
【図２Ｂ】図２の収納装置の両側壁の折り畳み時の状態を示す平面図である。
【図３Ａ】本考案の複数の直立の竹片を簾に組み立て、且つ、簾の端辺は被覆材により被覆された実施例を示す局部平面図である。
【図３Ｂ】図３Aの３B−３B方向の断面図である。
【図４Ａ】本考案の複数の直立の竹片を簾に組み立て、且つ、簾の部分位置は縫合により補強片を設置した実施例を示す局部平面図である。
【図４Ｂ】図４Aの４B-4B方向の断面図である。
【図５Ａ】本考案の複数の直立の竹片を簾に組み立て、且つ、簾の部分位置に布スリーブを設置し、布スリーブ内に補強片を挿入する実施例を示す局部平面図である。
【図５Ｂ】図５Aの５B-５B方向の断面図である。
【図６Ａ】本考案の複数の横向けの竹材を簾に組み立てた実施例の局部平面図である。
【図６Ｂ】図６Aの６B-６B方向の断面図である。
【図７Ａ】本考案の複数の横向けの竹材を簾に組み立て、且つ、簾の部分位置に補強片を設置した実施例の局部平面図である。
【図７Ｂ】図７Aの７B-７B方向の断面図である。
【図８Ａ】本考案の複数の横向けの竹材を簾に組み立て、且つ、簾の部分位置に布スリーブを設置し、布スリーブ内に補強片を挿入する実施例の局部平面図である。
【図８Ｂ】図８Aの８B-８B方向の断面図である。
【図９Ａ】本考案の複数の直立の竹棒を簾に組み合わせた実施例の局部平面図である。
【図９Ｂ】図９Aの９B−９B方向の断面図である。
【符号の説明】
【００１６】
１  収納箱
１１  竹片
１１１  編織線
１２  被覆材
１３  底面
１４  第一補強片
１４A  第二補強片
１５  縫い線
１６  布スリーブ
１７  竹棒
１７A  線
２  底板
２１  竹片
２１１  編織線
２２  被覆材
【図１Ａ】
0003140493.tif 000003
【図１Ｂ】
0003140493.tif 000004
【図２Ａ】
0003140493.tif 000005
【図２Ｂ】
0003140493.tif 000006
【図３Ａ】
0003140493.tif 000007
【図３Ｂ】
0003140493.tif 000008
【図４Ａ】
0003140493.tif 000009
【図４Ｂ】
0003140493.tif 000010
【図５Ａ】
0003140493.tif 000011
【図５Ｂ】
0003140493.tif 000012
【図６Ａ】
0003140493.tif 000013
【図６Ｂ】
0003140493.tif 000014
【図７Ａ】
0003140493.tif 000015
【図７Ｂ】
0003140493.tif 000016
【図８Ａ】
0003140493.tif 000017
【図８Ｂ】
0003140493.tif 000018
【図９Ａ】
0003140493.tif 000019
【図９Ｂ】
0003140493.tif 000020